(57)【要約】【課題】コンテンツの取扱量の増加に伴う運営費用の増加によっても、コンテンツを配信する事業者が影響を及ぼされることのない広告表示システム及び広告表示方法を提供する。【解決手段】ネットワーク２に接続してネットワーク２上の証券取引事業者のウェブサイト２１にコンテンツをアップロードする、システム開発事業者が運用するサーバ１０、及びサーバ１０とアクセス可能に構成されるとともにサーバ１０がアクセスすることによってサーバが取得する電子広告が蓄積された広告配信用サーバ５０を備える。このサーバ１０は、コンテンツと共に電子広告をウェブサイト２１にアップロードする。【選択図】図１
2016091428.tif 000002
【特許請求の範囲】
【請求項１】
ネットワークに接続して該ネットワーク上の第１事業者のウェブサイトにコンテンツをアップロードする、第２事業者が運用するサーバと、
該サーバとアクセス可能に構成されるとともに該サーバがアクセスすることによって該サーバが取得する電子広告が蓄積された広告配信用サーバと、を備え、
前記サーバは、前記コンテンツと共に前記電子広告を前記ウェブサイトにアップロードすることを特徴とする広告表示システム。
【請求項２】
コンテンツが格納されたクラウドと、
ネットワークを介してユーザの端末と接続し、該ユーザの端末が第１事業者のウェブサイトを介してアクセスすることによって前記クラウドから前記コンテンツを取得する、第２事業者が運用するサーバと、
該サーバとアクセス可能に構成されるとともに該サーバがアクセスすることによって該サーバが取得する電子広告が蓄積された、第３事業者が運用する広告配信用サーバと、を備え、
前記サーバは、前記コンテンツと前記電子広告とを共に前記ウェブサイトにアップロードすることを特徴とする広告表示システム。
【請求項３】
前記サーバは、
前記コンテンツと前記電子広告とを相関せしめるウェブサイト用データ生成部を備えることを特徴とする請求項１または２に記載の広告表示システム。
【請求項４】
証券取引に関する電子帳票が格納されたクラウドと、
ネットワークを介して前記証券取引を行う投資家の端末と接続し、該投資家の端末が証券取引事業者の証券取引事業者ウェブサイトを介してアクセスすることによって前記クラウドから前記電子帳票を取得する、システム開発事業者が運用するサーバと、
該サーバとアクセス可能に構成されるとともに該サーバがアクセスすることによって該サーバが取得する電子広告が蓄積された、広告代理事業者が運用する広告配信用サーバと、を備え、
前記サーバは、前記電子帳票と前記電子広告とを共に、前記証券取引事業者ウェブサイトに格納される電子帳票交付用ウェブサイトにアップロードすることを特徴とする広告表示システム。
【請求項５】
前記サーバは、
前記電子帳票と前記電子広告とを相関せしめるウェブサイト用データ生成部を備えることを特徴とする請求項４に記載の広告表示システム。
【請求項６】
ネットワークに接続して該ネットワーク上の第１事業者のウェブサイトに第２事業者が運用するサーバがコンテンツをアップロードし、
前記サーバが、該サーバとアクセス可能に構成されるとともに電子広告が蓄積された広告配信用サーバにアクセスすることによって、前記電子広告を取得し、
前記サーバは、前記コンテンツと共に前記電子広告を前記ウェブサイトにアップロードすることを特徴とする広告表示方法。
【発明の詳細な説明】
【技術分野】
【０００１】
本発明は、広告表示システム及び広告表示方法、特に、ネットワークに接続してネットワーク上のウェブサイトにコンテンツをアップロードするサーバを備えた広告表示システム及び広告表示方法に関する。
【背景技術】
【０００２】
例えば、コンピュータ等によって情報処理がなされるソフトウェアは、従来はいわゆるパッケージソフトウェアとして、販売店で販売されること等によって市場に流通する提供形態が主流であった。
【０００３】
一方、昨今のネットワーク環境の進展に伴って、ネットワークを経由してソフトウェアの機能が市場に提供される形態が数多くみられるようになった（Ａｐｐｌｉｃａｔｉｏｎ  Ｓｅｒｖｉｃｅ  Ｐｒｏｖｉｄｅｒ：以下「ＡＳＰ」と称する）。
【０００４】
ＡＳＰは、一般的に、アプリケーションソフトウェアを組み込んだサーバ、このサーバにネットワークを介して接続されるとともにインターネットブラウザが格納された入出力端末を主要構成として備え、インターネットブラウザを介して、サーバに格納されたアプリケーションソフトウェアの機能が入出力端末に提供される（例えば特許文献１を参照）。
【０００５】
このようなＡＳＰは、近年では、特定のアプリケーションソフトウェアを用いることによって視聴等を行うことができるコンテンツの配信に用いられることもある。
【０００６】
例えば、アプリケーションソフトウェアを組み込んだサーバに格納された、このアプリケーションソフトウェアを用いるコンテンツをウェブサイトにアップロードし、このウェブサイトにログインした者のみがアプリケーションソフトウェアの機能を用いて、コンテンツの内容を視聴等することができる。
【０００７】
このようなＡＳＰで配信されるコンテンツには、例えば、映像や画像等が含まれることは当然であるが、昨今では、銀行口座やクレジットカードの明細書、通信料の明細書、株式取引等の取引報告書といったいわゆる電子帳票も含まれる。
【先行技術文献】
【特許文献】
【０００８】
【特許文献１】特開２０１３−２２５２６２公報
【発明の概要】
【発明が解決しようとする課題】
【０００９】
しかし、コンテンツの取扱量の増加に伴って、このコンテンツを提供するためのハードウェア資源（例えばサーバ）も増加することがあり、このような場合はハードウェア資源のリース料といった、いわゆる運営費用も増加することとなる。
【００１０】
特に、電子帳票の場合はその取扱量が極めて膨大となることが多いことから、電子帳票を発行する事業者は、運営費用の増加による影響を多大に被ることが懸念される。
【００１１】
本発明は、上記課題に鑑みてなされたものであり、その目的は、コンテンツの取扱量の増加に伴う運営費用の増加によっても、コンテンツを配信する事業者が影響を及ぼされることのない広告表示システム及び広告表示方法を提供することにある。
【課題を解決するための手段】
【００１２】
上記目的を達成するための請求項１に記載の発明に係る広告表示システムは、ネットワークに接続して該ネットワーク上の第１事業者のウェブサイトにコンテンツをアップロードする、第２事業者が運用するサーバと、該サーバとアクセス可能に構成されるとともに該サーバがアクセスすることによって該サーバが取得する電子広告が蓄積された広告配信用サーバと、を備え、前記サーバは、前記コンテンツと共に前記電子広告を前記ウェブサイトにアップロードすることを特徴とする。
【００１３】
この構成によれば、広告表示システムは、第２事業者が運用するサーバを備え、このサーバが、第１事業者のウェブサイトにコンテンツと共に電子広告をアップロードすることから、第２事業者は、電子広告の広告主から広告費用を徴収することができる。
【００１４】
したがって、第２事業者がこの広告費用をサーバの運営費用に充当することによって、第１事業者が第２事業者に支払うサーバの運営費用を大幅に削減することができる。
【００１５】
上記目的を達成するための請求項２に記載の発明に係る広告表示システムは、コンテンツが格納されたクラウドと、ネットワークを介してユーザの端末と接続し、該ユーザの端末が第１事業者のウェブサイトを介してアクセスすることによって前記クラウドから前記コンテンツを取得する、第２事業者が運用するサーバと、該サーバとアクセス可能に構成されるとともに該サーバがアクセスすることによって該サーバが取得する電子広告が蓄積された、第３事業者が運用する広告配信用サーバと、を備え、前記サーバは、前記コンテンツと前記電子広告とを共に前記ウェブサイトにアップロードすることを特徴とする。
【００１６】
この構成によれば、広告表示システムは、第２事業者が運用するサーバを備え、このサーバが、クラウドから取得したコンテンツを電子広告と共に第１事業者のウェブサイトにアップロードすることから、第２事業者は、第３事業者を介して電子広告の広告主から広告費用を徴収することができる。
【００１７】
したがって、第２事業者がこの広告費用をサーバの運営費用に充当することによって、第１事業者が第２事業者に支払うサーバの運営費用を大幅に削減することができる。
【００１８】
請求項３に記載の発明は、請求項１または２に記載の広告表示システムにおいて、前記サーバは、前記コンテンツと前記電子広告とを相関せしめるウェブサイト用データ生成部を備えることを特徴とする。
【００１９】
この構成によれば、サーバのウェブサイト用データ生成部によって、コンテンツと電子広告とが相関せしめられて、相関せしめられたデータがウェブサイトにアップロードされる。
【００２０】
上記目的を達成するための請求項４に記載の発明に係る広告表示システムは、証券取引に関する電子帳票が格納されたクラウドと、ネットワークを介して前記証券取引を行う投資家の端末と接続し、該投資家の端末が証券取引事業者の証券取引事業者ウェブサイトを介してアクセスすることによって前記クラウドから前記電子帳票を取得する、システム開発事業者が運用するサーバと、該サーバとアクセス可能に構成されるとともに該サーバがアクセスすることによって該サーバが取得する電子広告が蓄積された、広告代理事業者が運用する広告配信用サーバと、を備え、前記サーバは、前記電子帳票と前記電子広告とを共に、前記証券取引事業者ウェブサイトに格納される電子帳票交付用ウェブサイトにアップロードすることを特徴とする。
【００２１】
この構成によれば、広告表示システムは、システム開発事業者が運用するサーバを備え、このサーバが、クラウドから取得した電子帳票を電子広告と共に証券取引事業者の証券取引事業者ウェブサイトに格納される電子帳票交付用ウェブサイトにアップロードすることから、システム開発事業者は、広告代理事業者を介して電子広告の広告主から広告費用を徴収することができる。
【００２２】
したがって、システム開発事業者がこの広告費用をサーバの運営費用に充当することによって、証券取引事業者がシステム開発事業者に支払うサーバの運営費用を大幅に削減することができる。
【００２３】
特に、システム開発事業者による電子帳票を交付する量は極めて膨大となることから、証券取引事業者の支払う運営費用が大幅に削減されれば、証券取引事業者による広告表示システムの導入が促進される。
【００２４】
請求項５に記載の発明は、請求項４に記載の広告表示システムにおいて、前記サーバは、前記電子帳票と前記電子広告とを相関せしめるウェブサイト用データ生成部を備えることを特徴とする。
【００２５】
この構成によれば、サーバのウェブサイト用データ生成部によって、電子帳票と電子広告とが相関せしめられて、相関せしめられたデータが証券取引事業者の証券取引事業者ウェブサイトに格納される電子帳票交付用ウェブサイトにアップロードされる。
【００２６】
上記目的を達成するための請求項６に記載の発明に係る広告表示方法は、ネットワークに接続して該ネットワーク上の第１事業者のウェブサイトに第２事業者が運用するサーバがコンテンツをアップロードし、前記サーバが、該サーバとアクセス可能に構成されるとともに電子広告が蓄積された広告配信用サーバにアクセスすることによって、前記電子広告を取得し、前記サーバは、前記コンテンツと共に前記電子広告を前記ウェブサイトにアップロードすることを特徴とする。
【００２７】
この構成によれば、広告表示方法は、第２事業者が運用するサーバが、第１事業者のウェブサイトにコンテンツと共に電子広告をアップロードすることから、第２事業者は、電子広告の広告主から広告費用を徴収することができる。
【００２８】
したがって、第２事業者がこの広告費用をサーバの運営費用に充当することによって、第１事業者が第２事業者に支払うサーバの運営費用を大幅に削減することができる。
【発明の効果】
【００２９】
この発明によれば、第２事業者が運用するサーバが、第１事業者のウェブサイトにコンテンツと共に電子広告をアップロードする。これにより、第２事業者は、電子広告の広告主から広告費用を徴収することができることから、第２事業者が広告費用をサーバの運営費用に充当することによって、第１事業者が第２事業者に支払うサーバの運営費用を大幅に削減することができる。
【図面の簡単な説明】
【００３０】
【図１】本発明の実施の形態に係る広告表示システムの概略を説明するブロック図である。
【図２】同じく、本実施の形態に係る広告表示システムのサーバの構成の概略を説明するブロック図である。
【図３】同じく、本実施の形態に係る広告表示システムに構築される証券会社ウェブサイトの概略を説明する図である。
【図４】同じく、本実施の形態に係る広告表示システムに構築される電子帳票交付用ウェブサイトの概略を説明する図である。
【図５】同じく、本実施の形態に係る広告表示システムにより電子広告を表示する方法を説明するフローチャートである。
【発明を実施するための形態】
【００３１】
次に、本発明の実施の形態について、図１〜図５に基づいて説明する。
【００３２】
図１は、本発明の実施の形態に係る広告表示システムの概略を説明するブロック図である。なお、本実施の形態において、広告表示システムが、証券会社における株式や投信等の金融商品の取引報告書といった電子帳票を、投資家であるユーザに交付するシステムに用いられる場合を例として説明する。
【００３３】
図示のように、広告表示システム１は、ネットワーク２に接続するサーバ１０を備える。このサーバ１０は、本実施の形態では、第２事業者であるシステム開発事業者が運用するものであって、ネットワーク２を介して、証券取引事業者ウェブサイトである証券会社ウェブサイト２０と、電子帳票交付用ウェブサイト２１とを接続する。
【００３４】
この電子帳票交付用ウェブサイト２１は、本実施の形態では証券会社ウェブサイト２０に格納されており、証券会社ウェブサイト２０と電子帳票交付用ウェブサイト２１とによってウェブサイトが構成され、第１事業者である証券取引事業者、すなわち証券会社によって運用されている。
【００３５】
証券会社ウェブサイト２０にアクセス可能なユーザの端末６０−１、６０−２〜６０−ｎは、本実施の形態では、シングルサインオン方式でサーバ１０に接続することによって、電子帳票交付用ウェブサイト２１にアクセス可能に構成されている。
【００３６】
一方、サーバ１０は、いわゆるＳａａＳやＰａａＳ等を実行するクラウド３０と、金融商品の取引をユーザが証券会社とネットワーク２上で行うために証券会社が運用している証券会社システム４０とに、アクセス可能に構成されている。さらに、証券会社システム４０は、クラウド３０にアクセス可能に構成されている。
【００３７】
証券会社システム４０は、ユーザがネットワーク２を介して証券会社と行った金融商品の取引記録を帳票データとして取得する。証券会社システム４０が取得した帳票データは、クラウド３０に蓄積される。
【００３８】
さらに、サーバ１０は、広告配信用サーバ５０にアクセス可能に構成されている。この広告配信用サーバ５０は、本実施の形態では、第３事業者である広告代理事業者によって運用されおり、この広告代理事業者が取りまとめた多数の電子広告が蓄積されている。
【００３９】
広告配信用サーバ５０にアクセスしたサーバ１０は、広告配信用サーバ５０に蓄積された電子広告を取得し、この取得した電子広告を電子帳票交付用ウェブサイト２１に表示する。
【００４０】
次に、本実施の形態に係る広告表示システム１の主要な構成となるサーバ１０の概略を説明する。
【００４１】
図２は、本実施の形態に係る広告表示システム１のサーバ１０の構成の概略を説明するブロック図である。図示のように、サーバ１０は、処理部１１、広告データ取得部１２及びウェブサイト用データ生成部１３を主要構成として備える。
【００４２】
処理部１１は、証券会社ウェブサイト２０を介して端末６０−１〜６０−ｎがシングルサインオン方式でアクセス可能に接続される。この処理部１１を介して、サーバ１０はクラウド３０及び証券会社システム４０にアクセス可能に構成されており、端末６０−１〜６０−ｎが処理部１１にアクセスすると、処理部１１を介してサーバ１０がクラウド３０及び証券会社システム４０にアクセスする。
【００４３】
この処理部１１は、本実施の形態では、ユーザが端末６０−１〜６０−ｎ及びネットワーク２を介して証券会社と行った金融商品の取引記録を帳票データとして作成する。作成した帳票データは、証券会社システム４０を介してクラウド３０に蓄積される。
【００４４】
さらに処理部１１は、帳票データの作成及びクラウド３０への蓄積に伴い、帳票データを蓄積したクラウド３０のＵＲＬを貼付したメールを作成し、ユーザの端末６０−１〜６０−ｎにメールを送信する。
【００４５】
広告データ取得部１２は、広告配信用サーバ５０にアクセス可能に接続される。この広告データ取得部１２には、処理部１１が接続されており、処理部１１から帳票データが入力されると、広告データ取得部１２が広告配信用サーバ５０にアクセスして、広告配信用サーバ５０に蓄積された電子広告を取得する。
【００４６】
ウェブサイト用データ生成部１３には、処理部１１及び広告データ取得部１２が接続されており、処理部１１で取得した帳票データと広告データ取得部１２で取得された電子広告とが相関せしめられ、相関せしめられたデータが電子帳票交付用ウェブサイト２１にアップロードされる。
【００４７】
図３は、本実施の形態に係る広告表示システム１において表示される証券会社ウェブサイト２０の概略を説明する図であり、図４は、同じく広告表示システム１において表示される電子帳票交付用ウェブサイト２１の概略を説明する図である。
【００４８】
図３で示すように、証券会社ウェブサイト２０は、ウェブサイト名が表示されるサイト名表示部２０ａ、ファンクション選択部２０ｂ及び情報表示ウインドウ２０ｃを備える。ファンクション選択部２０ｂには、本実施の形態では、ログイン選択部２０ｄが含まれる。
【００４９】
この証券会社ウェブサイト２０は、ユーザの端末６０−１〜６０−ｎのディスプレイに表示され、ユーザがログイン選択部２０ｄを選択すると、ＩＤ番号やパスワードの入力等を行う認証が求められる。ユーザが入力したＩＤ番号やパスワードが認証されると、ユーザの端末６０−１〜６０−ｎは、シングルサインオン方式でサーバ１０に接続して、電子帳票交付用ウェブサイト２１にアクセスする。
【００５０】
図４で示すように、電子帳票交付用ウェブサイト２１は、本実施の形態では、帳票内容表示部２１ａ、及び電子広告を表示する電子広告表示部２１ｂ〜２１ｅを備える。
【００５１】
帳票内容表示部２１ａには、本実施の形態では、データ取得部１１で取得された帳票データが表示される。一方、電子広告表示部２１ｂ〜２１ｅには、本実施の形態では、広告データ取得部１２で取得された電子広告が表示される。
【００５２】
次に、本実施の形態に係る広告表示システム１によって電子広告を表示する方法について説明する。
【００５３】
図５は、本実施の形態に係る広告表示システム１により電子広告を表示する方法を説明するフローチャートである。
【００５４】
ユーザの端末６０−１〜６０−ｎが、ステップＳ１において証券会社ウェブサイト２０にアクセスすると、端末６０−１〜６０−ｎのディスプレイに証券会社ウェブサイト２０が表示される。
【００５５】
ここで、ユーザが証券会社ウェブサイト２０のログイン選択部２０ｄをクリックすると、端末６０−１〜６０−ｎは、ステップＳ２において、シングルサインオン方式でサーバ１０の処理部１１に接続する。
【００５６】
サーバ１０に接続した端末６０−１〜６０−ｎのユーザが、ステップＳ３において、証券会社ウェブサイト２０を介して証券会社の金融商品の取引を開始すると、サーバ１０の処理部１１は、ステップＳ４において、証券会社システム４０を介してクラウド３０にアクセスする。
【００５７】
証券会社システム４０を介してクラウド３０にアクセスした処理部１１は、ステップＳ５において、端末６０−１〜６０−ｎを介して入力された金融商品の取引記録を、証券会社システム４０を介してクラウド３０に帳票データとして蓄積する。
【００５８】
一方、処理部１１はクラウド３０に証券会社システム４０を介してアクセスするとともに、ステップＳ６において、証券会社システム４０を介さないで直接的にクラウド３０にアクセスする。
【００５９】
クラウド３０にアクセスした処理部１１は、クラウド３０に蓄積された帳票データを、端末６０−１〜６０−ｎに対応させてクラウド３０から取得し、取得した帳票データを、広告データ取得部１２及びウェブサイト用データ生成部１３に入力する。
【００６０】
処理部１１から帳票データを入力された広告データ取得部１２は、ステップＳ７において、広告配信用サーバ５０にアクセスして、この広告配信用サーバ５０に蓄積された電子広告を取得する。広告データ取得部１２は、取得した電子広告をウェブサイト用データ生成部１３に入力する。
【００６１】
帳票データ及び電子広告が入力されたウェブサイト用データ生成部１３は、ステップＳ８において、帳票データと電子広告とを統合する。すなわち、帳票データと電子広告とが、ウェブサイト用データ生成部１３において相関せしめられる。
【００６２】
このように、ウェブサイト用データ生成部１３において相関せしめられた帳票データと電子広告とが、ステップＳ９において、電子帳票交付用ウェブサイト２１にアップロードされる。
【００６３】
このように、広告表示システム１は、本実施の形態では、サーバ１０を有するシステム開発事業者を中心として運用され、証券会社がその証券会社システム４０をシステム開発事業者のサーバ１０に接続することで、証券会社のユーザである投資家がその端末６０−１〜６０−ｎによって、証券会社ウェブサイト２０を介して電子帳票交付用ウェブサイト２１にアクセスすることが可能となる。
【００６４】
このような場合は、一般的に、証券会社は、システム開発事業者にサーバ１０のリース料等、広告表示システム１の運営費用を支払う必要がある。しかも、電子帳票の取扱量が増加すれば、その運営費用も増加することとなる。
【００６５】
これに対して、本実施の形態では、広告代理事業者が運用する広告配信用サーバ５０に蓄積された電子広告を、電子帳票交付用ウェブサイト２１の電子広告表示部２１ｂ〜２１ｅに表示させることによって、広告代理事業者を介して、システム開発事業者が電子広告の広告主から広告費用を徴収することができる。したがって、証券会社がシステム開発事業者に支払う運営費用を大幅に削減することができる。
【００６６】
特に、本実施の形態のように、コンテンツが電子帳票の場合は、システム開発事業者による電子帳票を交付する量は極めて膨大となることから、広告表示システム１により証券会社の支払う運営費用が大幅に削減されれば、証券会社による広告表示システム１の導入が促進される。
【００６７】
なお、本発明は上記実施の形態に限定されることはなく、発明の趣旨を逸脱しない範囲で種々変更可能である。上記実施の形態では、コンテンツが、証券会社が交付する電子帳票である場合を説明したが、例えば、映像や画像、及びこれらとともに提供される音楽等であってもよい。
【００６８】
すなわち、電子広告が表示されるウェブサイトを介して提供されるコンテンツであれば、コンテンツの特性や種類を問わずに適用することができる。
【符号の説明】
【００６９】
１    広告表示システム
２    ネットワーク
１０    サーバ
１１    処理部
１２    広告データ取得部
１３    ウェブサイト用データ生成部
２０    証券会社ウェブサイト（ウェブサイト、証券取引事業者ウェブサイト）
２１    電子帳票交付用ウェブサイト（ウェブサイト）
３０    クラウド
５０    広告配信用サーバ
６０−１〜６０−ｎ    端末
【図１】
2016091428.tif 000003
【図２】
2016091428.tif 000004
【図３】
2016091428.tif 000005
【図４】
2016091428.tif 000006
【図５】
2016091428.tif 000007